(57)【特許請求の範囲】
【請求項１】
それぞれ刃体部と柄部を有して互いに回動自在に連結されて、開方向に付勢する付勢部材が設けられる一対の鋏片と、
前記一対の鋏片のうち、一方の鋏片の前記柄部に前後動自在に設けられる操作体と、
前記一対の鋏片のうち、他方の鋏片の前記柄部が固定される把持体と、
を有し、
前記操作体は、前記把持体に設けられる係合部に対して、前記一対の鋏片が閉状態のときに、前方又は後方に移動することにより係合される被係合部を備え、
前記他方の鋏片の前記柄部は、縦向きの平板状に形成され、
前記把持体は、前記他方の鋏片の前記柄部の上下の縁面を挟持する縁面挟持部及び前記他方の鋏片の前記柄部の側面を挟持する平面挟持部を有することを特徴とする鋏。
【請求項２】
それぞれ刃体部と柄部を有して互いに回動自在に連結されて、開方向に付勢する付勢部材が設けられる一対の鋏片と、
前記一対の鋏片のうち、一方の鋏片の前記柄部に前後動自在に設けられる操作体と、
前記一対の鋏片のうち、他方の鋏片の前記柄部が固定される把持体と、
を有し、
前記操作体は、前記把持体に設けられる係合部に対して、前記一対の鋏片が閉状態のときに、前方又は後方に移動することにより係合される被係合部を備え、
前記係合部は、その上面に、前下方に傾斜される係合部傾斜面を有し、
前記被係合部は、前記操作体を押し込むことで前記係合部傾斜面と当接する被係合部傾斜面を有することを特徴とする鋏。
【請求項３】
それぞれ刃体部と柄部を有して互いに回動自在に連結されて、開方向に付勢する付勢部材が設けられる一対の鋏片と、
前記一対の鋏片のうち、一方の鋏片の前記柄部に前後動自在に設けられる操作体と、
前記一対の鋏片のうち、他方の鋏片の前記柄部が固定される把持体と、
を有し、
前記操作体は、前記把持体に設けられる係合部に対して、前記一対の鋏片が閉状態のときに、前方又は後方に移動することにより係合される被係合部を備え、
前記一方の鋏片の前記柄部には、角筒状に形成されて側面にガイド係合部が形成されるガイド駒が固定され、
前記操作体は、下方を開口する縦断面コ字状に形成され、側面に前進限係合部及び後退限係合部が設けられ、前記ガイド駒を介して前記一方の鋏片の前記柄部に前後動自在に設けられ、
前記ガイド駒の前記ガイド係合部は、前記操作体の前進限で前記前進限係合部と係合し、前記操作体の後退限で前記後退限係合部と係合されることを特徴とする鋏。
【請求項４】
前記一対の鋏片の前記刃体部をカバーするキャップを備え、
前記操作体は、前記キャップの開口縁と当接される当接部が設けられることを特徴とする請求項１乃至請求項３の何れかに記載の鋏。
【請求項５】
前記キャップは、大径部と小径部が設けられる筒状に形成されて、前記小径部の内周面は、前記刃体部の外側縁部と当接可能に形成されることを特徴とする請求項４に記載の鋏。
【発明の詳細な説明】
【技術分野】
【０００１】
本発明は、一対の鋏片の開閉動をロックするロック機構を備える鋏に関する。
【背景技術】
【０００２】
従来から、一対の鋏片の開閉動をロックするロック機構を備える鋏が開示されている。例えば、特許文献１に開示される鋏は、一対の鋏片のうち一方の鋏片は、把持柄に対して前後に移動可能に支持される。そして、他方の鋏片は、後端が把持柄と係合可能に形成されている。従って、一方の鋏片の後端と把持柄との係合により、開方向に付勢される一対の鋏片の開閉動をロックすることができる。そして、他方の鋏片の指当部を操作したり、他方の鋏片と接続される尻端部をキャップで押圧したりする等して、一対の鋏片を前方に移動させると、一方の鋏片の後端と把持柄との係合が解除され、一対の鋏片の開閉動のロックが解除される。
【先行技術文献】
【特許文献】
【０００３】
【特許文献１】特開２００６−６８１０６号公報
【発明の概要】
【発明が解決しようとする課題】
【０００４】
特許文献１に開示される鋏は、一対の鋏片の前後動により、鋏片の開閉動がロック及びアンロックがなされる。そして、この鋏を使用する際には、把持柄を親指以外の指で把持しながら、親指で一方の鋏片の指当部を押して鋏片を開閉動させる。そして、他方の鋏片は、把持柄に対して前後に移動自在に設けられているので、他方の鋏片と把持柄との接続部にはクリアランスが設けられることとなる。そうすると、鋏の使用の際、一対の鋏片に僅かなブレが生じてしまうことがある。このように鋏の使用の際に、一対の鋏片に僅かでもブレが生じてしまうと、紙等の切断対象物を意図したように切断できなくなってしまう恐れがある。
【０００５】
本発明の目的は、一対の鋏片のブレを低減させて使い易くした鋏を提供する。
【課題を解決するための手段】
【０００６】
本発明の鋏は、それぞれ刃体部と柄部を有して互いに回動自在に連結されて、開方向に付勢する付勢部材が設けられる一対の鋏片と、前記一対の鋏片のうち、一方の鋏片の前記柄部に前後動自在に設けられる操作体と、前記一対の鋏片のうち、他方の鋏片の前記柄部が固定される把持体と、を有し、前記操作体は、前記把持体に設けられる係合部に対して、前記一対の鋏片が閉状態のときに、前方又は後方に移動することにより係合される被係合部を備える。
【０００７】
また、鋏は、前記一対の鋏片の前記刃体部をカバーするキャップを備え、前記操作体は、前記キャップの開口縁と当接される当接部が設けられる。
【０００８】
また、前記キャップは、大径部と小径部が設けられる筒状に形成されて、前記小径部の内周面は、前記刃体部の外側縁部と当接可能に形成される。
【０００９】
また、前記他方の鋏片の前記柄部は、縦向きの平板状に形成され、前記把持体は、前記他方の鋏片の前記柄部の上下の縁面を挟持する縁面挟持部及び前記他方の鋏片の前記柄部の側面を挟持する平面挟持部を有する。
【００１０】
また、前記係合部は、その上面に、前下方に傾斜される係合部傾斜面を有し、前記被係合部は、前記操作体を押し込むことで前記係合部傾斜面と当接する被係合部傾斜面を有する。
【００１１】
また、前記一方の鋏片の前記柄部には、角筒状に形成されて側面にガイド係合部が形成されるガイド駒が固定され、前記操作体は、下方を開口する縦断面コ字状に形成され、側面に前進限係合部及び後退限係合部が設けられ、前記ガイド駒を介して前記一方の鋏片の前記柄部に前後動自在に設けられ、前記ガイド駒の前記ガイド係合部は、前記操作体の前進限で前記前進限係合部と係合し、前記操作体の後退限で前記後退限係合部と係合される。
【発明の効果】
【００１２】
本発明によれば、一対の鋏片の他方の鋏片の柄部が把持体に固定される。そして、操作体の被係合部と把持体の係合部とにより、一対の鋏片の開閉動をロック状態としたりアンロック状態とすることができる。従って、一対の鋏片の開閉動をロック・アンロックすることができる鋏においても、切断作業時に刃体部がブレることが無いので、精度よく作業を行うことができる使い易い鋏を提供することができる。
【００１３】
また、キャップが装着される鋏の操作体には、キャップの開口縁と当接される当接部が設けられるので、キャップの装着に合わせて操作体を前後動させることができる。従って、キャップの装着に合わせて、被係合部と係合部を係合させて、鋏の開閉動をロック状態とすることができる。
【００１４】
また、キャップの内周面には、刃体部の外側縁部と当接可能な小径部が形成される。従って、キャップを装着することで一対の鋏片を閉じることができる。
【００１５】
また、他方の鋏片の柄部は、縁面挟持部及び平面挟持部により把持体に挟持されて固定される。従って、他方の鋏片の柄部は、上下左右が確実に固定されるので、さらに一対の鋏片のブレを低減させることができる。
【００１６】
また、被係合部は、操作体を押し込むことで係合部傾斜面と当接する被係合部傾斜面を有する。従って、操作体を押し込むと、係合部傾斜面に被係合部傾斜面が倣って操作体を移動させることができる。よって、操作体が前後のいずれの位置であっても、収納時に適正な位置に操作体を移動させることができる。
【００１７】
また、操作体は、前進限位置でガイド駒のガイド係合部と係合される前進限係合部と、後退限位置でガイド係合部と係合される後退限係合部が設けられる。これにより、操作体が前進限又は後退限に位置されるときにクリック感を発生させることができるので、操作体の操作がし易い鋏とすることができる。
【図面の簡単な説明】
【００１８】
【図１】本発明の実施形態に係る鋏の斜視図であり、（ａ）はキャップを装着した収納状態を示し、（ｂ）はキャップを取り外した状態を示す。
【図２】本発明の実施形態に係る鋏を左前上方から見た分解斜視図である。
【図３】本発明の実施形態に係る鋏を右前下方から見た分解斜視図である。
【図４】本発明の実施形態に係る鋏の図１（ａ）のＩＶ−ＩＶ断面図である。
【図５】本発明の実施形態に係る図４のＶ−Ｖ断面図である。
【図６】本発明の実施形態に係る鋏の動作を示す、左把持体を省略した側面図であり、（ａ）はロック状態を示し、（ｂ）はロック解除状態を示す。
【図７】本発明の実施形態に係る鋏が開いている状態を示す、左把持体を省略した側面図である。
【図８】本発明の実施形態に係る鋏のキャップを装着するときの動作を説明する、左把持体を省略した要部側面図であり、（ａ）はキャップが一対の鋏片に挿入された状態を示し、（ｂ）はキャップが把持体に装着された状態を示す。
【発明を実施するための形態】
【００１９】
以下、本発明の実施形態を図に基づいて説明する。図１（ａ），（ｂ）は本発明に係る鋏１０を示す斜視図である。鋏１０は、ペンケース等に収納して容易に携帯することができる携帯用の鋏である。鋏１０の把持体２０には、刃体部３１ａ，３２ａをカバーするキャップ５０が着脱自在に設けられている。なお、以下の説明においては、キャップ５０が装着される側を前とし、その反対側を後とする。そして、図１（ａ），（ｂ）における上方を上、下方を下とし、後方から前方を見たときの左側を左、右側を右とする。
【００２０】
図１（ａ），（ｂ）に示すように、鋏１０の外形は、長軸が上下方向に向く縦断面視楕円形に形成されている。把持体２０の前側上部は前後方向に長く開口部２０ａが形成されている。この開口部２０ａには、前後動自在に操作体４０が配置されている。なお、図１（ａ）においては操作体４０は、後方に位置される状態を示し、図１（ｂ）においては、操作体４０は前方に位置される状態を示す。この図１（ｂ）に示すように、把持体２０の左右側面前端には、キャップ取付部２０ｂが形成されている（図１（ａ），（ｂ）においては左側面のみ図示している。）。キャップ取付部２０ｂは、把持体２０の径方向内側に形成されるガイド面２０ｂ１と、このガイド面２０ｂ１から、把持体２０の径方向外側に突出される嵌合凸部２０ｂ２により形成されている。
【００２１】
ガイド面２０ｂ１は、側面視半円状の前端部２０１が形成される。ガイド面２０ｂ１は、前端部２０１の上下の端部から後方に向けて直線部２０２，２０３が形成されて、把持体２０の前端部に設けられている。
【００２２】
一方、嵌合凸部２０ｂ２は、ガイド面２０ｂ１から把持体２０の左右方向に突出して形成される。そして、嵌合凸部２０ｂ２の外表面は、把持体２０の外表面と連続した面とされている。嵌合凸部２０ｂ２の前端は、側面視半円状に前端部２０４が形成されている。この側面視半円状の前端部２０４の上下の端部からは、後方に向けて上下方向に広がる傾斜部２０５，２０６が形成されている。そして、この傾斜部２０５，２０６と把持体２０の前端縁２０ｃとの接続部に、キャップ嵌合凹部２０７，２０８が形成されている。
【００２３】
一方、キャップ５０の開口側端部の左右側面には、切欠き状にキャップ嵌合部５０ａが形成されている。キャップ嵌合部５０ａは、嵌合凸部２０ｂ２に倣った相似形状の切欠きとして形成されている。そして、キャップ嵌合部５０ａの開口部近傍には、それぞれキャップ嵌合凸部５１，５２が上下の両側に形成されている。キャップ５０が把持体２０に装着される際には、このキャップ嵌合凸部５１，５２が傾斜部２０５，２０６上に乗って押し広げられて、キャップ嵌合凸部５１，５２がキャップ嵌合凹部２０７，２０８に嵌まり込む。
【００２４】
また、把持体２０の後端上には、ストラップ等の紐状体を挿通可能な穴部２０ｄが形成されている。
【００２５】
次に、図２及び図３により、鋏１０の各部品の構成について説明する。把持体２０は、縦断面視半楕円形状の左把持体２１と右把持体２２の２つの部品が結合して形成されている。図２に示すように、右把持体２２の前方上側は長手方向に長い右開口部２２ａが形成されている。右開口部２２ａの後端には、右係合部２２ｇが形成されている。
【００２６】
右開口部２２ａの下方には、略平板状に設けられる押え板２２ｈが形成されている。押え板２２ｈは、把持体２０の径方向内側に向けて形成されている。押え板２２ｈの先端部分は、上側に段部面２２ｈ１が向くように段状に形成されている。押え板２２ｈの下側は、前後２つの支持板２２ｊ，２２ｋにより支持される。支持板２２ｊ，２２ｋは、それぞれ右側が右把持体２２の内面と接続されるとともに、上側が押え板２２ｈの下面と接続されている。
【００２７】
押え板２２ｈの下面と対向する右把持体２２の内面には、前端縁２２ｃから後方に向けて長い平坦面２２ｍが形成されている。また、右把持体２２の内面には、右把持体２２の前端、中間部及び後端に、それぞれボス部２２ｎ，２２ｐ，２２ｑが形成されている。
【００２８】
一方、図３に示すように、左把持体２１には、前方側の上部に左開口部２１ａが形成されている。この左開口部２１ａの後端には、左係合部２１ｇが形成されている。左開口部２１ａの下方には、略平板状に設けられる接合板２１ｈが形成されている。接合板２１ｈは、把持体２０の径方向内側に向けて突出されている。接合板２１ｈの先端部分は、下側に段部面２１ｈ１が向くように段状に形成されている。接合板２１ｈの下側は、前後２つの支持板２１ｊ，２１ｋにより支持される。支持板２１ｊ，２１ｋは、それぞれ左側が左把持体２１の内面と接続され、上側が接合板２１ｈの下面と接続されている。
【００２９】
左把持体２１の内面には、左把持体２１の前端、中間部及び後端に、それぞれピン部２１ｎ，２１ｐ，２１ｑが形成されている。
【００３０】
図２及び図３に示すように、一対の鋏片３０は、左側の一方の鋏片３１と、右側の他方の鋏片３２が、両者の略中央部で回動軸３３により回動自在に連結されている。具体的には、回動軸３３のブッシュ３３ａの外周周りに回動自在に一対の鋏片３０が設けられている。鋏片３１，３２は、それぞれ回動軸３３よりも前方側に刃体部３１ａ，３２ａが形成され、回動軸３３よりも後方側に柄部３１ｂ，３２ｂが形成されている。柄部３１ｂ，３２ｂは、縦向きの平板状に形成されている。
【００３１】
一方の鋏片３１の柄部３１ｂと他方の鋏片３２の柄部３２ｂは、対向して上下に配置されている。また、一方の鋏片３１の刃体部３１ａの外縁終端から後方に向けて、一方側回動規制部３１ｃが突出して形成されている。他方の鋏片３２の刃体部３２ａにおける後端縁からは、柄部３１ｂの下側に位置するように一方の鋏片３１に向けて突出する他方側回動規制部３２ｃが形成されている。この一方側回動規制部３１ｃと他方側回動規制部３２ｃが互いに当接されることにより、一対の鋏片３０の開方向の回動が規制される。
【００３２】
また、一対の鋏片３０の閉方向の回動規制は、操作体４０の下面が接合板２１ｈ及び押え板２２ｈの上面と当接することにより規制される。
【００３３】
回動軸３３の後方側には、上下の柄部３１ｂ，３２ｂの対向する縁部にばね支持部３１ｄ，３２ｄがそれぞれ形成されている。そして、上下のばね支持部３１ｄ，３２ｄ間にコイルばねである圧縮ばね３４が設けられている。なお、柄部３１ｂ，３２ｂは、それぞれの鋏片３１，３２の板厚分だけ偏心している。従って、ばね支持部３１ｄ，３２ｄも偏心して配置されている。
【００３４】
一方の鋏片３１の柄部３１ｂには、ガイド駒３５が取付けられる。ガイド駒３５は、略有底角筒状に形成されている。柄部３１ｂは、ガイド駒３５の内部に挿入される。ガイド駒３５の左側面には、ガイド駒３５の長手方向略中央位置に、上下に長い突起状にガイド係合部３５ａが形成されている。また、ガイド駒３５の前端下部は、側面視において緩やかな凹湾曲状のＣ面取り状の凹湾曲部３５ｂが形成されている。
【００３５】
操作体４０は、ガイド駒３５に前後動自在に設けられている。図３に示すように、操作体４０の操作体本体４０ａには、開口部を下方に向けた縦断面コ字状の開口孔４５が形成されている。開口孔４５の下方端（換言すれば、操作体本体４０ａの下面）には、左スライド係合部４０ａ１及び右スライド係合部４０ａ２が、開口孔４５の内側に向けてそれぞれ突出される。左スライド係合部４０ａ１及び右スライド係合部４０ａ２は、操作体本体４０ａの長手方向に連続して形成されている。
【００３６】
操作体本体４０ａの後端下部には、後方に向けて突出される被係合部４０ｂが形成されている。被係合部４０ｂは、左右に分かれるようにして、左被係合部４０ｂ１及び右被係合部４０ｂ２として形成されている。具体的には、左被係合部４０ｂ１は、左スライド係合部４０ａ１の下面と連続して下方に向けて膨出する下面を有して、後方に向けて突出して形成される。右被係合部４０ｂ２も同様に、右スライド係合部４０ａ２の下面と連続して下方に向けて膨出する下面を有して、後方に向けて突出して形成される。左被係合部４０ｂ１と右被係合部４０ｂ２は、側面視においては同一形状とされている。
【００３７】
図２及び図３に示すように、操作体本体４０ａの前端上部からは、前方に向けて操作突出部４０ｃが突出して形成されている。操作突出部４０ｃの前端面は、キャップ５０の上側に位置される開口縁５０ｂと当接される当接部４０ｃ１とされる。操作突出部４０ｃの後方の操作体４０の表面には、図２に示すように、凹凸状に滑り止め部４０ｄが設けられている。また、操作体本体４０ａの左側面には、後退限係合部４１及び前進限係合部４２として、前後に二つの縦長の孔が設けられている。
【００３８】
操作体本体４０ａの先端は、下部を側面視において緩やかな凹湾曲のＣ面取り状に面取りされた凹湾曲部４０ｇが形成されている。図３に示すように、操作体本体４０ａの前端であって、操作突出部４０ｃの下方、すなわち凹湾曲部４０ｇの上方には、前平坦面４０ｅが形成されている。
【００３９】
操作体本体４０ａの開口孔４５は、操作体本体４０ａに対して左側にオフセットして配置される。これにより、ガイド駒３５に操作体４０が組み付けられた場合に、操作体４０は、把持体２０に対して左右方向の中心位置に配置される。
【００４０】
次に、鋏１０の組立状態を図４及び図５に基づいて説明する。把持体２０は、ボス部２２ｎ，２２ｐ，２２ｑにピン部２１ｎ，２１ｐ，２１ｑが挿入されて、左把持体２１と右把持体２２が結合される。このとき、前側のボス部２２ｎは、回動軸３３のブッシュ３３ａの内部に挿入される。
【００４１】
また、一方の鋏片３１の柄部３１ｂには、ガイド駒３５が固定されている。具体的には、ガイド駒３５内部の凸部３５ｃと、柄部３１ｂの凹部３１ｂ１とが嵌り合って、ガイド駒３５は一方の鋏片３１に固定される。そして、操作体４０は、開口孔４５にガイド駒３５が挿入されるようにして、ガイド駒３５に設けられる。操作体４０は、ガイド駒３５に対して前後動自在に設けられる。このようにして、操作体４０は、ガイド駒３５を介して、一方の鋏片３１の柄部３１ｂに前後動自在に設けられる。
【００４２】
操作体４０は、操作突出部４０ｃ下側の前平坦面４０ｅと一方の鋏片３１の柄部３１ｂの前方側に設けられる段部３１ｅとが当接されることで、前方側への移動が規制される。なお、前平坦面４０ｅと段部３１ｅとが当接される位置においては、ガイド係合部３５ａと前進限係合部４２とが係合されて、クリック感が生じる（図６（ｂ）参照）。また、操作体４０は、前平坦面４０ｅの反対側の面である後平坦面４０ｆとガイド駒３５の上部前端が当接することにより、後退限よりもさらに後方側への移動が規制される。なお、後平坦面４０ｆとガイド駒３５の上部前端が当接される位置においては、ガイド係合部３５ａと後退限係合部４１とが係合されて、クリック感が生じる（図６（ａ）参照）。
【００４３】
また、操作体４０の被係合部４０ｂは、上面が略平坦な被係合部当接面４０１が形成される。そして、この被係合部当接面４０１と連続して、後方に凸円弧状に突出される凸円弧状部４０２を介して、被係合部４０ｂの下方側にかけて被係合部傾斜面４０３が形成されている。また、左係合部２１ｇと右係合部２２ｇとにより、開口部２０ａの後端に係合部２０ｇが形成される。すなわち、左係合部２１ｇと右係合部２２ｇは、側面視において同一形状とされている。係合部２０ｇは、その上面に、開口部２０ａの後端から前下方に向けて傾斜する係合部傾斜面２０ｇ１が形成されている。そして、係合部２０ｇの先端部の下面は、平坦な係合当接面２０ｇ２が形成されている。
【００４４】
他方の鋏片３２の柄部３２ｂは、上側の縁面を押え板２２ｈの下面に当接され、下側の縁面を平坦面２２ｍと当接される。従って、図５に示すように、押え板２２ｈの下面と平坦面２２ｍとにより、他方の鋏片３２の柄部３２ｂの縁面を挟持して押さえる縁面挟持部が形成されている。さらに、右把持体２２の支持板２２ｊ，２２ｋは、柄部３２ｂの右側面と当接される。柄部３２ｂの左側面は、左把持体２１の支持板２１ｊ，２１ｋと当接される。このようにして、柄部３２ｂの左右の平面部は、支持板２１ｊ，２２ｊ，２１ｋ，２２ｋにより形成される平面挟持部により挟持される。
【００４５】
キャップ５０は、把持体２０と同様に、外形が断面楕円形状とされる略有底筒状に形成されている。キャップ５０の内周面５３は、図４に主に示し、図２及び図３にも示すように、大径部５３ａと、小径部５３ｃと、この大径部５３ａと小径部５３ｃを接続する傾斜部５３ｂとで形成されている。そして、小径部５３ｃは、刃体部３１ａ，３２ａの外側縁部の一部と当接される。なお、図２及び図３に示すキャップ５０の破線で示されるように、キャップ５０の大径部５３ａ、傾斜部５３ｂ及び小径部５３ｃにおける縦断面楕円形の短軸方向（つまり左右方向）の寸法は、大径部５３ａ、傾斜部５３ｂ及び小径部５３ｃにおいてそれぞれ同じとされている。
【００４６】
次に、鋏１０の操作体４０の操作を説明する。鋏１０のキャップ５０を手で取り外すと、図６（ａ）に示す状態となる。このとき、ガイド係合部３５ａは、操作体４０の後退限係合部４１と係合されている。鋏１０を使用するには、例えば親指以外の指で把持体２０の下面側を把持し、親指で操作体４０の滑り止め部４０ｄを押さえて操作体４０を前方に移動させる。このとき、ガイド係合部３５ａと後退限係合部４１の係合は解除される。
【００４７】
そして、さらに操作体４０を前方に移動させて前方の移動限まで移動させると、図６（ｂ）に示すように、操作体４０の被係合部４０ｂと係合部２０ｇの係合が外れて、アンロック状態となる。このとき、ガイド係合部３５ａは、前進限係合部４２と係合される。また、一対の鋏片３０は、付勢部材である圧縮ばね３４により開方向に付勢されるので、操作体４０から親指を離すと図７のように一対の鋏片３０が開かれた状態となる。
【００４８】
図７の状態で、例えば親指以外の指で把持体２０の下面側を把持し、親指で操作体４０を押せば、一対の鋏片３０は開閉されて、刃体部３１ａ，３２ａの刃により切断作業を行うことができる。
【００４９】
このように、キャップ５０を取り外しても、当初は被係合部４０ｂと係合部２０ｇの係合状態が保たれているので、キャップ５０を取り外した後、いきなり一対の鋏片３０が開いてしまうことが無い。さらに、ガイド係合部３５ａと前進限係合部４２が係合されているので、切断作業中に意図せず操作体４０が前後に移動して、不安定な切断作業となってしまうことが低減される。
【００５０】
鋏１０を収納する場合には、上記と逆の手順を行って、最後にキャップ５０を装着することもできるが、図８（ａ），（ｂ）に示すように、キャップ５０を装着することによりロック状態とすることもできる。すなわち、一対の鋏片３０を閉じて、キャップ５０を装着する。このとき、キャップ５０の内周面に一対の鋏片３０の先端部を挿入してしまえば、キャップ５０を押し込むことにより、一対の鋏片３０の刃体部３１ａ，３２ａの外側縁部が大径部５３ａ、傾斜部５３ｂ、小径部５３ｃに倣って、一対の鋏片３０は閉状態とされる。そして、さらにキャップ５０を把持体２０に向けて押し込めば、キャップ５０の開口部の縁と操作体４０の操作突出部４０ｃの前端とが当接して、図８（ａ）の状態となる。ここで、さらにキャップ５０を押し込むと、操作体４０が後方に移動される。そうすると、図８（ｂ）に示すように、被係合部４０ｂと係合部２０ｇとが係合し、鋏１０はロック状態となる。
【００５１】
このように、キャップ５０を押し込むことでも操作体４０を後方に移動させて、被係合部４０ｂと係合部２０ｇを係合させることができる。従って、一対の鋏片３０を閉じて操作体４０を後方に移動させてからキャップ５０を装着しなくても、キャップ５０を装着するだけで確実に鋏１０を収納状態とすることができる。
【００５２】
なお、被係合部４０ｂと係合部２０ｇの係合が解除された状態（すなわち、ロック解除状態）で操作体４０が後方に移動されて、ガイド係合部３５ａが後退限係合部４１に係合されている場合に一対の鋏片３０を完全に閉じようとした場合には、被係合部４０ｂの被係合部傾斜面４０３が係合部２０ｇの係合部傾斜面２０ｇ１に倣うので、操作体４０は前方に移動される。このとき、ガイド係合部３５ａと後退限係合部４１の係合は解除される。従って、この場合にも、上記の収納操作や継続して切断作業等の他の作業を続けて行うことができる。
【００５３】
また、一対の鋏片３０は、他方の鋏片３２の柄部３２ｂが把持体２０に固定され、回動軸３３も把持体２０に支持されているので、切断作業時に刃体部３１ａ，３２ａがブレてしまうことがない。
【００５４】
さらにまた、図７に示すように、刃体部３１ａ，３２ａの刃部は、それぞれ側面視凸湾曲状に形成されて、刃体部３１ａ，３２ａの開き角度がいずれの場合においても、それぞれの刃部が交差する位置における各刃部の接線のなす角（交差角）は略一定とされている。従って、小さい開き角度でも切断に最適な刃体部３１ａ，３２ａを形成することができるので、携帯に便利な小型の鋏においても十分な切断能力とすることができる。
【００５５】
以上、本発明の実施形態を説明したが、本発明は本実施形態によって限定されることはなく、種々変更を加えて実施することができる。例えば、鋏１０は携帯用の小型の鋏として形成したが、事務用その他の鋏とすることもできる。また、例えば、一対の鋏片３０の開閉動をロックする被係合部４０ｂと係合部２０ｇは、それぞれ操作体４０の後端及び開口部２０ａの後端に設けたが、これに限られず、操作体４０の左右の側面に被係合部を設けて、これに対応する位置に係合部を配置しても良い。
【符号の説明】
【００５６】
１０      鋏                            ２０      把持体
２０ａ    開口部                        ２０ｂ    キャップ取付部
２０ｂ１  ガイド面                      ２０ｂ２  嵌合凸部
２０ｃ    前端縁                        ２０ｄ    穴部
２０ｇ    係合部                        ２０ｇ１  係合部傾斜面
２０ｇ２  係合当接面                    ２１      左把持体
２１ａ    左開口部                      ２１ｇ    左係合部
２１ｈ    接合板                        ２１ｈ１  段部面
２１ｊ    支持板                        ２１ｋ    支持板
２１ｎ    ピン部                        ２１ｐ    ピン部
２１ｑ    ピン部                        ２２      右把持体
２２ａ    右開口部                      ２２ｃ    前端縁
２２ｇ    右係合部                      ２２ｈ    押え板
２２ｈ１  段部面                        ２２ｊ    支持板
２２ｋ    支持板                        ２２ｍ    平坦面
２２ｎ    ボス部                        ２２ｐ    ボス部
２２ｑ    ボス部                        ３０      鋏片
３１      鋏片                          ３１ａ    刃体部
３１ｂ    柄部                          ３１ｂ１  凹部
３１ｃ    一方側回動規制部              ３１ｄ    ばね支持部
３１ｅ    段部                          ３２      鋏片
３２ａ    刃体部                        ３２ｂ    柄部
３２ｃ    他方側回動規制部              ３２ｄ    ばね支持部
３３      回動軸                        ３３ａ    ブッシュ
３４      圧縮ばね                      ３５      ガイド駒
３５ａ    ガイド係合部                  ３５ｂ    凹湾曲部
３５ｃ    凸部                          ４０      操作体
４０ａ    操作体本体                    ４０ａ１  左スライド係合部
４０ａ２  右スライド係合部              ４０ｂ    被係合部
４０ｂ１  左被係合部                    ４０ｂ２  右被係合部
４０ｃ    操作突出部                    ４０ｃ１  当接部
４０ｄ    滑り止め部                    ４０ｅ    前平坦面
４０ｆ    後平坦面                      ４０ｇ    凹湾曲部
４１      後退限係合部                  ４２      前進限係合部
４５      開口孔                        ５０      キャップ
５０ａ    キャップ嵌合部                ５０ｂ    開口縁
５１      キャップ嵌合凸部              ５２      キャップ嵌合凸部
５３      内周面                        ５３ａ    大径部
５３ｂ    傾斜部                        ５３ｃ    小径部
２０１    前端部                        ２０２    直線部
２０３    直線部                        ２０４    前端部
２０５    傾斜部                        ２０６    傾斜部
２０７    キャップ嵌合凹部              ２０８    キャップ嵌合凹部
４０１    被係合部当接面                ４０２    凸円弧状部
４０３    被係合部傾斜面
【図１】
0006606359.tif 000002
【図２】
0006606359.tif 000003
【図３】
0006606359.tif 000004
【図４】
0006606359.tif 000005
【図５】
0006606359.tif 000006
【図６】
0006606359.tif 000007
【図７】
0006606359.tif 000008
【図８】
0006606359.tif 000009